(57)【要約】 【課題】  係止力を確保しながらも、挿入力を低減する。【解決手段】  ランスに係止される一次係止部５０は、本体部２１を構成する天板２５の前縁から延出したものが後方に折り返されて形成される。一次係止部５０の折り返し部５５には丸みが付けられる。雌端子金具２０は丸みの付いた折り返し部５５をランスに当てつつキャビティ内に挿入されるのであるから抵抗が小さく、低挿入力が実現される。一次係止部５０は、叩き出された支え部５１を介して天板２５から浮いた状態に設けられているから、ランスに対する掛かり代が大きく取られる。ランス係止面５２の天板２５に近い側の角部にテーパ面５３が形成されているから、ランスの先端がテーパ面５３の内側に食い込むように作用し、ランスがランス係止面５２上を滑って逃げることが確実に防止される。【選択図】  図３
2005302573.tif 000002
【特許請求の範囲】
【請求項１】
略角筒状をなす本体部内に弾性接触片を備えた雌端子金具であって、コネクタハウジングのキャビティに後方から挿入されて、このキャビティ内に設けられたランスにより弾性的に係止されることで抜け止めされるものにおいて、
前記ランスに係止する係止部は、前記本体部の一側板の前縁から延出したものが後方に折り返されることによって形成されていることを特徴とする雌端子金具。
【請求項２】
前記係止部は、前記一側板との間に支え部を挟むことにより前記一側板から浮いた状態で形成されていることを特徴とする請求項１記載の雌端子金具。
【請求項３】
前記係止部のランス係止面における前記一側板に近い側の角部には、テーパ面が形成されていることを特徴とする請求項１または請求項２記載の雌端子金具。
【請求項４】
前記一側板における前記係止部が折り重ねられる領域付近には、前記弾性接触片に当たってその過度の撓みを規制する過度撓み規制部が、内方への叩き出しによって形成されていることを特徴とする請求項１ないし請求項３のいずれかに記載の雌端子金具。
【請求項５】
前記係止部の側縁には、前記本体部における前記一側板の隣りの側板に対して差し込まれる抜け止め部が形成されていることを特徴とする請求項１ないし請求項４のいずれかに記載の雌端子金具。
【発明の詳細な説明】
【技術分野】
【０００１】
本発明は、雌端子金具に関する。
【背景技術】
【０００２】
雌端子金具は一般に、略角筒状をなす本体部内に、相手の雄端子金具と接触される弾性接触片を備えた形状であって、コネクタハウジングのキャビティに後方から挿入され、キャビティ内に形成された樹脂ランスが、本体部の側板に開口されたランス孔に嵌まることで抜け止めされるようになっている。ここで、雌端子金具の小型化が進むと、樹脂ランスの本体部内への食い込み代が制限されて係止力が確保できない可能性があるため、本体部の外面に係止部を形成し、これに樹脂ランスを係止させるようにしたものも提案されている（例えば、特許文献１参照）。
【特許文献１】特開２００２−１７５８４９公報
【発明の開示】
【発明が解決しようとする課題】
【０００３】
一方、この種のコネクタでは、雌端子金具をキャビティに挿入する際の挿入力の低減も大きな課題であって、係止部を本体部の外面に設けて係止力を確保した上で、なおかつ低挿入力を実現した雌端子金具の出現が切望されていた。  
本発明は上記のような事情に基づいて完成されたものである。
【課題を解決するための手段】
【０００４】
上記の目的を達成するための手段として、請求項１の発明の雌端子金具は、略角筒状をなす本体部内に弾性接触片を備えた雌端子金具であって、コネクタハウジングのキャビティに後方から挿入されて、このキャビティ内に設けられたランスにより弾性的に係止されることで抜け止めされるものにおいて、前記ランスに係止する係止部は、前記本体部の一側板の前縁から延出したものが後方に折り返されることによって形成されている構成としたところに特徴を有する。
【０００５】
請求項２の発明は、請求項１に記載のものにおいて、前記係止部は、前記一側板との間に支え部を挟むことにより前記一側板から浮いた状態で形成されているところに特徴を有する。  
請求項３の発明は、請求項１または請求項２に記載のものにおいて、前記係止部のランス係止面における前記一側板に近い側の角部には、テーパ面が形成されているところに特徴を有する。
【０００６】
請求項４の発明は、請求項１ないし請求項３のいずれかに記載のものにおいて、前記一側板における前記係止部が折り重ねられる領域付近には、前記弾性接触片に当たってその過度の撓みを規制する過度撓み規制部が、内方への叩き出しによって形成されているところに特徴を有する。  
請求項５の発明は、請求項１ないし請求項４のいずれかに記載のものにおいて、前記係止部の側縁には、前記本体部における前記一側板の隣りの側板に対して差し込まれる抜け止め部が形成されているところに特徴を有する。
【発明の効果】
【０００７】
＜請求項１の発明＞
雌端子金具がキャビティ内に挿入されると、本体部における係止部の折り返し部分がランスに当たって、ランスを弾性変形させつつ挿入され、係止部がランスを通過したところで、ランスが復元して係止部の先端に係止する。  
係止部を本体部の外面に設けたことでランスの掛かり代が大きく取りやすく、係止力が確保できる。一方、係止部が側板の前縁から折り返されて形成されることで、折り返し部分には丸みを付すことができ、雌端子金具はその丸みの付いた部分をランスに当てつつ挿入することになるから抵抗が小さく、すなわち低挿入力が実現される。
【０００８】
＜請求項２の発明＞
ランスに対する掛かり代をさらに大きく取ることができる。  
＜請求項３の発明＞
ランスがテーパ面の内側に食い込むように作用して、ランス係止面上を滑って逃げることが確実に防止でき、さらなる係止力の向上を図ることができる。
【０００９】
＜請求項４の発明＞
ランスが係止部を押圧すると、係止部を形成した一側板が変形しつつ係止部が捲られるような力が作用するが、一側板に叩き出しにより過度撓み規制部を設けたことで、一側板の断面係数が上がって増強され、ひいてはこの一側板に続く係止部の変形に対する強度も向上させることができる。  
＜請求項５の発明＞
係止部に設けられた抜け止め部が隣りの側板に差し込まれていることで、係止部の座屈方向の強度が向上される。併せて、本体部の形状保持力も増強することができる。
【発明を実施するための最良の形態】
【００１０】
＜実施形態＞
以下、本発明の一実施形態を図１ないし図１１によって説明する。  
本実施形態の雌端子金具２０は、導電性に優れた金属板を図１の下側に示すような展開形状に切断したのち、複数の曲げ工程を経て、同図の上側や図２に示すように組み付けられており、大まかには、電線１０の端末に固着される電線接続部７０の前方に、相手の雄端子金具Ｍｔ（図１１参照）が前方から挿入される角筒状をなす本体部２１が設けられている。
【００１１】
この雌端子金具２０は、後記するように、被覆電線１０の端末に圧着されたのち、雌ハウジング１５に収容されるようになっている。雌ハウジング１５には、図９に示すように、前後方向に開口したキャビティ１６が上下２段に分かれて並んで形成されており、各キャビティ１６内に、雌端子金具２０が上下反転させた姿勢で後方から挿入可能とされている。各キャビティ１６の底壁には、雌端子金具２０を一次係止するためのランス１７が、先端を斜め上方に向けて突出させた姿勢で撓み変形可能に形成されている。また、雌ハウジング１５の下面には、雌端子金具２０を二次係止するためのリテーナ１８が、仮係止位置から本係止位置に向けて押し込み可能に装着されている。
【００１２】
雌端子金具２０の構造を詳細に説明する。本体部２１の展開形状は図１に示すようであって、底板２２の左右両側に側板が形成され、ただし左側では、左側板２３がほぼ全長にわたって形成されているのに対して、右側では、右側板２４のうちの後半部（以下、後右側板２４Ｂ）のみが形成されている。左側板２３の左側には天板２５が形成され、この天板２５のさらに左側の前半部分には、右側板２４の前半部（以下、前右側板２４Ａ）が形成されている。後右側板２４Ｂの右側には、詳しくは後記する弾性接触片３０が形成されている。  
本体部２１は、同図の鎖線に示す折り目に従って、底板２２の左右両側に左側板２３と後右側板２４Ｂを曲げ起こし、次に弾性接触片３０を底板２２と対向する姿勢に曲げたのちその上方を天板２５で覆い、それに伴い天板２５から曲げ降ろされた前右側板２４Ａを後右側板２４Ｂと面一に配することで、前後両面が開口された角筒状に組み立てられる。
【００１３】
弾性接触片３０は、展開形状では底板２２よりやや短い長さで底板２２と平行姿勢で形成されており、全長の約１／３に相当する後端部が、後右側板２４Ｂのさらに後部側と連結され、残りは分離して形成されている。弾性接触片３０の分離部３１は、連結部３２と後右側板２４Ｂとの折り目３３よりも少し右側（図１の下側）に引っ込むように幅狭に形成されている。また、連結部３２の後縁は、天板２５の後縁よりも少し前方に控えて形成されている。
【００１４】
この弾性接触片３０は、折り目３３で折り曲げられて天板２５の下面に配され、図４に示すように、連結部３２は天板２５の後端部の下面に密着される。また、連結部３２の側縁に突設された突部３４が、左側板２３と天板２５とが突き合う角部に開口された差込口３５に差し込まれる（図６参照）。  
一方、分離部３１は、前方の斜め下方に向けて延出されて、先端が斜め上向きに屈曲されており、上下方向の撓み変形可能となっている。弾性接触片３０の分離部３１が折り目３３よりも少し引っ込んで形成されたのは、分離部３１が、連結部３２と後右側板２４Ｂとが突き合う角部に繋がることを避けて、その円滑な撓み変形を担保するためである。この弾性接触片３０の先端の屈曲部に、接点３６が底面側に向けて叩き出して形成されている。
【００１５】
底板２２の前端寄りの位置の内面には、上記した弾性接触片３０の接点３６との間で雄端子金具Ｍｔを弾性的に挟持するための縦長の略台形をなす挟持部３８が、叩き出されて形成されている。この挟持部３８の側方における右側縁には突部３９が形成されて上向きに曲げられ、前右側板２４Ａの下縁に形成された凹部４０に嵌められている。  
また、左側板２３と前右側板２４Ａの前縁には短寸の突片４２が形成され、両突片４２が互いに突き合うように内方に曲げられることにより、相手の雄端子金具Ｍｔが挿入される挿入口４３の上側の口縁が形成されている。
【００１６】
天板２５の上面の前縁寄りの位置には、上記したランス１７に係止される一次係止部５０が形成されている。この一次係止部５０は展開形状では、天板２５の前縁から前方に向けて延出形成されており、図４に示すように、天板２５の前端部分の上面に重なるようにして後方に折り返されている。一次係止部５０の先端側には支え部５１が叩き出して形成されており、支え部５１が天板２５の上面との間で挟まれるようにして、一次係止部５０が天板２５から浮いた状態で設けられている。
【００１７】
この一次係止部５０の先端面が、ランス係止面５２となっている。また、このランス係止面５２の特に下側の角では、面取りがされてテーパ面５３が形成されている。  
一方特筆すべきは、一次係止部５０の折り返し部５５の外面が半円形状に丸みが付された形状となっている。
【００１８】
一次係止部５０の先端部の左右両側縁には、一対の抜け止め部５６が形成されている。両抜け止め部５６は、展開形状では側方に張り出したのち前方に屈曲された鈎形に形成され、一次係止部５０が折り返された状態では下方に折り曲げられ、左側板２３と前右側板２４Ａとの上部位置に形成された抜け止め孔５７に、緊密に嵌められている。  
また、天板２５における両抜け止め孔５７の間の位置には、過度撓み規制部５９が内面側に叩き出して形成されている。この過度撓み規制部５９は、上記した弾性接触片３０の先端部の裏面に当たることで、過度に撓み変形することを規制することに機能する。
【００１９】
天板２５の後縁には、リテーナ１８に係止される二次係止部６０が設けられている。この二次係止部６０は、幅方向の中央部における所定長さ領域が上方に叩き出されることにより、前方が閉じて後方に開口した短寸の半円筒形に形成されており、この二次係止部６０の半円形の後端面がリテーナ係止面６１となっている。  
これにより、図４に示すように、上記した弾性接触片３０の連結部３２の後縁よりも上方の領域において、リテーナ１８の係止突部１９に対する深い掛かり代が確保された状態となる。また、上記したように弾性接触片３０の連結部３２の後縁が、天板２５の後縁よりも前方に控えて形成されていたことにより、連結部３２の後縁がリテーナ係止面６１よりも前方に退避した状態となる。  
なお、左側板２３の長さ方向のほぼ中央部における外面には、逆挿入防止用のスタビライザ６３が叩き出して形成されている。
【００２０】
電線接続部７０側は、展開形状では、本体部２１の後縁から、底板２２よりも幅広でかつ底板２２から連続した中心線を持った帯状部７１が延設され、途中にワイヤバレル７２が、後端にインシュレーションバレル７３がそれぞれ形成されている。この帯状部７１は、上記した本体部２１と同じ幅を有するような凹溝状に曲げ形成される。  
これにより図２に示すように、本体部２１の後方には、凹溝状の首部７５が同一幅で続き、その後方にワイヤバレル７２と、所定間隔を開けてインシュレーションバレル７３とが、それぞれのバレル片７２Ａ，７３Ａの上端を開いた状態に形成されている。
【００２１】
ワイヤバレル７２は、両バレル片７２Ａの上端が突き合って回曲するようにかしめられるハート型圧着であって、底面には芯線１１の食い込み用の溝７６が形成されている。一方のインシュレーションバレル７３は、両バレル片７３Ａの上端が重なり合ってかしめられるラップ型圧着であって、図７に示すように、両バレル片７３Ａの上端の対向した面側が圧潰されて、薄肉部７７が形成されている。
【００２２】
上記のように組み付けられた雌端子金具２０は、被覆電線１０の端末に固着される。具体的には、被覆電線１０の端末は、皮剥きされて芯線１１の端末が露出された状態とされ、電線接続部７０に上方から挿入されて、図８に示すように、芯線１１の露出された端末にワイヤバレル７２がハート型にかしめ圧着され、一方、被覆１２の端末にインシュレーションバレル７３がラップ型でかしめ圧着される。特にインシュレーションバレル７３側では、バレル片７３Ａの重なる部分が予め薄肉部７７とされていることで、圧着された後の背の高さが低く留められる。
【００２３】
このように被覆電線１０の端末に固着された雌端子金具２０は、雌ハウジング１５の対応するキャビティ１６内に収容される。  
雌ハウジング１５には、図９に示すように、リテーナ１８が仮係止位置に装着されている。この仮係止位置では、リテーナ１８に設けられた係止突部１９がキャビティ１６の底壁側に退避している。この状態から、雌端子金具２０が天板２５を下に向けた上下逆さまの姿勢で、対応するキャビティ１６内に後方から挿入される。
【００２４】
雌端子金具２０が挿入されてその終盤に近付くと、図１０の下段に示すように、雌端子金具２０の本体部２１における先端下面に位置した一次係止部５０の折り返し部５５が、ランス１７の上り勾配の上面に当たり、さらに押し込まれると、同図の上段に示すように、ランス１７を撓み変形させつつ一次係止部５０が乗り越える。ここで、一次係止部５０の折り返し部５５には丸みが付されているから、ランス１７に当たってそれを乗り越える際の抵抗が小さく、スムーズに押し込まれる。
【００２５】
一次係止部５０がランス１７を通過すると、図１１に示すように、ランス１７が復動してその先端が、一次係止部５０のランス係止面５２の後方に係止する。すべての雌端子金具２０の挿入が終了したら、同図に示すように、リテーナ１８を本係止位置に押し込む。そうすると、係止突部１９がキャビティ１６内に突入し、雌端子金具２０の本体部２１における後端下部に位置している二次係止部６０のリテーナ係止面６１の後方に係止し、すなわち二重に抜け止めする。
【００２６】
このように、雌ハウジング１５に雌端子金具２０が挿入されて二重係止されると、雌ハウジング１５が相手の雄ハウジング（図示せず）と嵌合され、図１１に示すように、その雄ハウジングに装着されたタブ状の雄端子金具Ｍｔが、キャビティ１６の前面の端子挿入口１６Ａから進入して、さらにその中に収容された雌端子金具２０の本体部２１内に前面の挿入口４３から進入し、弾性接触片３０を弾性変形せつつ挟持部３８との間に割って入り、接点３６が弾性的に雄端子金具Ｍｔに当てられることで、雌雄の端子金具１０，Ｍｔ間の電気的接続が取られる。
【００２７】
本実施形態の雌端子金具２０によれば、以下のような利点を得ることができる。  
一次係止部５０を本体部２１の外面に設けたことから、ランス１７に対する掛かり代が大きく取りやすく、したがって必要な係止力が確保できる。一方、一次係止部５０は天板２５の前縁から折り返されて形成されることで、折り返し部５５には丸みを付すことができ、雌端子金具２０はその丸みの付いた部分をランス１７に当てつつ挿入することになるから抵抗が小さく、すなわち低挿入力が実現される。
【００２８】
さらに、一次係止部５０は支え部５１を介して天板２５から浮いた状態に設けられているから、ランス１７に対する掛かり代をさらに大きく取ることができる。  
また、一次係止部５０のランス係止面５２における天板２５に近い側の角部にはテーパ面５３が形成されているから、ランス１７の先端がランス係止面５２に当たって係止する場合に、ランス１７の先端がテーパ面５３の内側に食い込むように作用し、ランス１７がランス係止面５２上を滑って逃げることが確実に防止できて、さらなる係止力の向上を図ることができる。
【００２９】
ランス１７が一次係止部５０に係止して前方に押圧すると、一次係止部５０を形成した天板２５が変形しつつ一次係止部５０が捲られるような力が作用するが、天板２５に叩き出しにより過度撓み規制部５９を設けたことで、天板２５の断面係数が上がって増強され、ひいてはこの天板２５に続く一次係止部５０の変形に対する強度も向上させることができる。  
一次係止部５０に設けられた鈎形の抜け止め部５６が左右の側板２３，２４Ａに設けられた抜け止め孔５７に差し込まれていることで、一次係止部５０の座屈方向の強度が向上され、また捲れ方向の変形も阻止される。併せて、本体部２１の形状保持力も増強することができる。
【００３０】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。  
（１）一次係止部を天板から浮かせるための支え部は、天板側を叩き出して形成してもよい。  
（２）一次係止部に抜け止め部を設けて側板に差し込むのは、左右いずれか一方の側板だけであってもよい。
【００３１】
（３）一次係止片を折り返して設けるのは、天板のみに限らず、雌端子金具自体の形状によっては、側板や底板の前縁から折り返して設けるようにしてもよい。  
（４）電線の端末を固着する形式は、上記実施形態に例示したバレルによる圧着に限らず、圧接刃による圧接であってもよい。
【図面の簡単な説明】
【００３２】
【図１】本発明の一実施形態に係る雌端子金具の展開状態と組付状態とを示す平面図
【図２】雌端子金具の組付状態の斜視図
【図３】同側面図
【図４】本体部の縦断面図
【図５】雌端子金具の一部切欠斜視図
【図６】本体部の横断面図
【図７】インシュレーションバレルの断面図
【図８】雌端子金具を電線の端末に固着した状態の斜視図
【図９】雌端子金具を雌ハウジングに挿入する前の状態の縦断面図
【図１０】挿入途中を示す縦断面図
【図１１】挿入完了状態の縦断面図
【符号の説明】
【００３３】
１５…雌ハウジング（コネクタハウジング）
１６…キャビティ
１７…ランス
２０…雌端子金具
２１…本体部
２３…左側板（隣の側板）
２４Ａ…前右側板（隣の側板）
２５…天板（一側板）
３０…弾性接触片
５０…一次係止部（係止部）
５１…支え部
５２…ランス係止面
５３…テーパ面
５５…折り返し部
５６…抜け止め部
５７…抜け止め孔
５９…過度撓み規制部
【図１】
2005302573.tif 000003
【図２】
2005302573.tif 000004
【図３】
2005302573.tif 000005
【図４】
2005302573.tif 000006
【図５】
2005302573.tif 000007
【図６】
2005302573.tif 000008
【図７】
2005302573.tif 000009
【図８】
2005302573.tif 000010
【図９】
2005302573.tif 000011
【図１０】
2005302573.tif 000012
【図１１】
2005302573.tif 000013